(57)【要約】【課題】画像取得する前、あるいは間の消費電力を低減する。【解決手段】撮像装置は、被写体から入射された光を結像させる撮像光学系と、撮像光学系によって結像された像を反転させた画像を出射する像反転光学系と、透過性を有し、像反転光学系によって出射された画像を透過して表示する表示部材と、撮像光学系によって結像された像を撮像画像として撮像する撮像素子と、撮像光学系の光路上に挿入可能な偏向部材であって、撮像光学系の光路上に挿入された場合に、撮像光学系を介して入射された光を撮像素子に結像するように偏向する偏向部材と、偏向部材の挿入を制御する制御部と、を備える。【選択図】図１
2013161032.tif 000002
【特許請求の範囲】
【請求項１】
被写体から入射された光を結像させる撮像光学系と、
前記撮像光学系によって結像された像を反転させた画像を出射する像反転光学系と、
透過性を有し、前記像反転光学系によって出射された前記画像を透過して表示する表示部材と、
前記撮像光学系によって結像された像を撮像画像として撮像する撮像素子と、
前記撮像光学系の光路上に挿入可能な偏向部材であって、前記撮像光学系の光路上に挿入された場合に、前記撮像光学系を介して入射された前記光を前記撮像素子に結像させるように偏向する偏向部材と、
前記偏向部材の挿入を制御する制御部と、
を備えることを特徴とする撮像装置。
【請求項２】
前記制御部は、
撮像指示に応じて前記偏向部材を前記撮像光学系の光路上に挿入させ、前記撮像画像の撮像が終了した後に、前記偏向部材を前記撮像光学系の光路外に移動させる
ことを特徴とする請求項１に記載の撮像装置。
【請求項３】
被写体から入射された光を結像させる撮像光学系と、
前記撮像光学系によって結像された像を反転させた画像を出射する像反転光学系と、
透過性を有し、前記像反転光学系によって出射された前記画像を透過して表示する表示部材と、
前記撮像光学系によって結像された像を撮像画像として撮像する撮像素子と、
前記撮像光学系の光路上に前記撮像素子を移動する移動部と、
前記移動部に対して、前記撮像素子の移動を制御する制御部と、
を備えることを特徴とする撮像装置。
【請求項４】
前記制御部は、
撮像指示に応じて前記移動部に前記撮像素子を前記撮像光学系の光路上に移動させ、前記撮像画像の撮像が終了した後に、前記移動部に前記撮像素子を前記撮像光学系の光路外に移動させる
ことを特徴とする請求項３に記載の撮像装置。
【請求項５】
前記制御部は、撮像指示に応じて前記撮像素子に電力を供給し、前記撮像画像を前記撮像素子から取得した後に、前記電力の供給を停止する制御を行う
ことを特徴とする請求項１から請求項４のいずれか一項に記載の撮像装置。
【請求項６】
被写体から入射された光を結像させる撮像光学系と、
前記撮像光学系によって結像された像を反転させた画像を出射する像反転光学系と、
透過性を有し、前記像反転光学系によって出射された前記画像を透過して表示する表示部材と、
前記撮像光学系によって結像された像を撮像画像として撮像する撮像素子と、
前記撮像光学系の光路上に挿入されている偏向部材であって、前記撮像光学系を介して入射された前記光を前記撮像素子に結像するように偏向するとともに、前記撮像光学系を介して入射された前記光を、前記像反転光学系を介して前記表示部材に出射する偏向部材と、
を備えることを特徴とする撮像装置。
【請求項７】
撮像指示に応じて前記撮像素子に電力を供給し、前記撮像画像を前記撮像素子から取得した後に、前記電力の供給を停止する制御を行う制御部を備える
ことを特徴とする請求項６に記載の撮像装置。
【請求項８】
撮像指示に応じて前記撮像素子に画像データの出力を開始し、前記撮像画像を前記撮像素子から取得した後に、前記画像データの出力を停止する制御を行う制御部を備える
ことを特徴とする請求項６に記載の撮像装置。
【請求項９】
前記制御部は、
撮像指示に応じて前記撮像素子に画像データの出力を開始し、前記撮像画像を前記撮像素子から取得した後に、前記画像データの出力を停止する制御を行う
ことを特徴とする請求項１から請求項５、及び請求項７のいずれか一項に記載の撮像装置。
【請求項１０】
前記撮像素子は、前記像反転光学系に入射される前に前記撮像光学系によって結像された像を撮像する
ことを特徴とする請求項１から請求項９のいずれか一項に記載の撮像装置。
【発明の詳細な説明】
【技術分野】
【０００１】
本発明は、撮像装置に関する。
【背景技術】
【０００２】
近年、ＣＣＤ（Charge Coupled Device）イメージセンサやＣＭＯＳ（Complementary Metal Oxide Semiconductor）イメージセンサなどの撮像素子を備えた撮像装置が広く使用されている。このような撮像装置は、背面にファインダの代わり、もしくはファインダと併せてライブビュー画像を表示する液晶表示パネルなどの表示部を備えている（例えば、特許文献１を参照）。このライブビュー画像は、これから撮像しようとする被写体を確認するための画像であり、撮像する為に表示される。
【先行技術文献】
【特許文献】
【０００３】
【特許文献１】特開２００３−３７７５９号公報
【発明の概要】
【発明が解決しようとする課題】
【０００４】
しかしながら、例えば、ライブビュー動作（液晶表示）の時に、上述の撮像装置は、ミラーアップ、シャッターを開放し、撮像素子に結像する光学画像を光電変換し、撮像素子から電気信号として常に読み出し、画像処理等を行って背面のライブビュー部にて表示する。そのため、上述の撮像装置は、画像を取得しないにも拘らず、電池などの電気を常に消費するという問題があった。また、上述の撮像装置は、撮像素子をはじめ、画像処理回路も常に動作している為に発熱し、その熱が撮像素子へ作用し、熱ノイズが画像にのるなどの画質劣化の一因となっていた。
さらに、画像を取得しないライブビュー動作の時に、上述の撮像装置は、常に電力を消費している。そのため、上述の撮像装置は、例えば、長い時間、撮像の為のライブビュー動作を行うためには、大容量の電池（バッティー）を装着したり、複数の電池を準備しておかなくてはならず、カメラ機器の質量増の大きな原因となっていた。また、複数の電池の準備は、システム全体としては高価なシステムとなる一因となっていた。
【０００５】
本発明は、上記問題を解決すべくなされたもので、その目的は、画像取得する前、あるいは間の消費電力を低減することができる撮像装置を提供することにある。
【課題を解決するための手段】
【０００６】
上記問題を解決するために、本発明の一実施形態は、被写体から入射された光を結像させる撮像光学系と、前記撮像光学系によって結像された像を反転させた画像を出射する像反転光学系と、透過性を有し、前記像反転光学系によって出射された前記画像を透過して表示する表示部材と、前記撮像光学系によって結像された像を撮像画像として撮像する撮像素子と、前記撮像光学系の光路上に挿入可能な偏向部材であって、前記撮像光学系の光路上に挿入された場合に、前記撮像光学系を介して入射された前記光を前記撮像素子に結像するように偏向する偏向部材と、前記偏向部材の挿入を制御する制御部と、を備えることを特徴とする撮像装置である。
【０００７】
また、本発明の一実施形態は、被写体から入射された光を結像させる撮像光学系と、前記撮像光学系によって結像された像を反転させた画像を出射する像反転光学系と、透過性を有し、前記像反転光学系によって出射された前記画像を透過して表示する表示部材と、前記撮像光学系によって結像された像を撮像画像として撮像する撮像素子と、前記撮像光学系の光路上に前記撮像素子を移動する移動部と、前記移動部に対して、前記撮像素子の移動を制御する制御部と、を備えることを特徴とする撮像装置である。
【０００８】
また、本発明の一実施形態は、被写体から入射された光を結像させる撮像光学系と、前記撮像光学系によって結像された像を反転させた画像を出射する像反転光学系と、透過性を有し、前記像反転光学系によって出射された前記画像を透過して表示する表示部材と、前記撮像光学系によって結像された像を撮像画像として撮像する撮像素子と、前記撮像光学系の光路上に挿入されている偏向部材であって、前記撮像光学系を介して入射された前記光を前記撮像素子に結像するように偏向するとともに、前記撮像光学系を介して入射された前記光を、前記像反転光学系を介して前記表示部材に出射する偏向部材と、を備えることを特徴とする撮像装置である。
【発明の効果】
【０００９】
本発明によれば、撮像装置は、画像取得する前、あるいは間の消費電力を低減することができる。
【図面の簡単な説明】
【００１０】
【図１】第１の実施形態による撮像装置の構成を示す模式図である。
【図２】第１の実施形態における撮像装置を示すブロック図である。
【図３】第１の実施形態における撮像装置の動作を示すタイムチャートである。
【図４】第２の実施形態による撮像装置の構成を示す模式図である。
【図５】第２の実施形態における素子移動部の構成を示す模式図である。
【図６】第２の実施形態における撮像装置を示すブロック図である。
【図７】第３の実施形態による撮像装置の構成を示す模式図である。
【図８】第３の実施形態における撮像装置を示すブロック図である。
【発明を実施するための形態】
【００１１】
以下、本発明の一実施形態による撮像装置について、図面を参照して説明する。
［第１の実施形態］
図１は、第１の実施形態による撮像装置１の構成を示す模式図である。
図１において、撮像装置１は、撮像光学系１０、撮像素子１１、像反転光学系１２、可動ミラー１３、及び磨りガラス２０を備えている。
この図において、図１（ａ）は、撮像装置１が撮像前にライブビュー画像（スルー画像）を磨りガラス２０に表示する場合の状態を示している。ここで、ライブビュー画像（スルー画像）とは、撮像を行う際（撮像前）に、被写体ＯＢの構図やピントを確認するための画像である。
また、図１（ｂ）は、撮像装置１が撮像する場合の状態を示している。
なお、図１において、撮像光学系１０の光路Ｌ１方向をＸ方向とし、Ｘ方向に垂直な紙面上の上方向を＋Ｙ方向として説明する。
【００１２】
撮像光学系１０は、例えば、複数のレンズを備え、被写体ＯＢから入射された光を結像させる。撮像光学系１０は、図１（ａ）に示すように、被写体ＯＢから入射された光を光路Ｌ１として、像反転光学系１２を経由して磨りガラス２０に出射する。なお、図１（ａ）において、撮像装置１内の光路Ｌ１上の位置Ｐ１及び位置Ｐ２に結像させる。また、撮像光学系１０は、図１（ｂ）に示すように、撮像装置１が撮像する場合には、被写体ＯＢから入射された光を光路Ｌ２として、可動ミラー１３を経由して撮像素子１１に出射して、撮像素子１１上に結像させる。
なお、上述した撮像光学系１０は、撮像装置１に取り付けられて一体とされていてもよいし、撮像装置１に着脱可能に取り付けられてもよい。
【００１３】
撮像素子１１は、例えば、ＣＣＤ（Charge Coupled Device）イメージセンサやＣＭＯＳ（Complementary Metal Oxide Semiconductor）イメージセンサなどの固体撮像素子である。撮像素子１１は、撮像光学系１０によって結像された像（光路Ｌ２によって結像された像）を撮像画像として撮像する。なお、本実施形態では、撮像素子１１は、受光面（不図示）が光路Ｌ１と平行になるように、光路Ｌ２における結像する位置に配置されている。また、撮像素子１１は、像反転光学系１２に入射される前において、撮像光学系１０によって結像された像を撮像するように、配置されている。
また、撮像素子１１は、例えば、Ａ／Ｄ（アナログ／デジタル）変換器を備えており、受光面により光電変換した電気信号をアナログ−デジタル変換し、この変換したデジタル信号により形成される画像データを出力する。
【００１４】
像反転光学系１２は、例えば、レンズであり、光路Ｌ１上に配置されている。像反転光学系１２は、撮像光学系１０によって結像された像を反転させた画像を磨りガラス２０に出射する。なお、図１（ａ）に示される位置Ｐ１と位置Ｐ２とは、像反転光学系１２の光学的共役の位置にあり、像反転光学系１２は、撮像光学系１０によって位置Ｐ１において結像された画像（倒立画像結像面）を位置Ｐ２（正立画像焦点面）に結像させる。
【００１５】
可動ミラー１３（偏向部材）は、例えば、アクチュエータなどの駆動部（不図示）を備えており、駆動部の動作により撮像光学系１０の光路Ｌ１上に挿入可能なミラーである。可動ミラー１３は、図１（ａ）に示すように、撮像装置１による撮像前、及び撮像後に、反射面がＸ方向と平行になるように固定されて配置される。この場合、可動ミラー１３は、撮像光学系１０の光路Ｌ１上に挿入されていない場合である。
また、可動ミラー１３は、図１（ｂ）に示すように、撮像装置１が撮像する場合に、反射面がＸ方向に対して、例えば、４５度になるように、駆動部により撮像光学系１０の光路Ｌ１上に挿入される。可動ミラー１３は、撮像光学系１０の光路Ｌ１上に挿入されている場合に、撮像光学系１０を介して入射された光を撮像素子１１の方向（光路Ｌ２）に反射して、撮像素子１１の受光面上に結像させる。すなわち、可動ミラー１３は、撮像光学系１０の光路Ｌ１上に挿入された場合に、撮像光学系１０を介して入射された光の方向を撮像素子１１に結像させるように偏向する。これにより、可動ミラー１３は、撮像光学系１０を介して入射された光を撮像素子１１の受光面上に結像させる。
【００１６】
磨りガラス２０（表示部材）は、例えば、ピントグラスであり、透過性を有し、像反転光学系１２によって出射された画像を透過して表示する。すなわち、磨りガラス２０は、図１（ａ）に示すように、撮像装置１による撮像前、及び撮像後にライブビュー画像（スルー画像）を表示する。なお、磨りガラス２０は、上述したように、正立画像焦点面（位置Ｐ２）に配置されている。撮像装置１の使用者は、磨りガラス２０により、被写体ＯＢを観察することができ、被写体ＯＢの構図やピントを確認することができる。
【００１７】
図２は、本実施形態における撮像装置１を示すブロック図である。
この図において、撮像装置１は、撮像光学系１０、撮像素子１１、像反転光学系１２、可動ミラー１３、磨りガラス２０、バッファメモリ部３０、画像処理部４０、電源回路５０、記憶部６０、通信部７０、操作部８０、及び制御部９０を備えている。
この図において、図１と同一の構成については同一の符号を付し、その説明を省略する。
【００１８】
バッファメモリ部３０は、撮像素子１１によって撮像された画像データなどを、一時的に記憶する。
画像処理部４０は、記憶部６０に記憶されている画像処理条件に基づいて、バッファメモリ部３０に記憶されている画像データに対して画像処理を実行する。ここでいうバッファメモリ部３０に記憶されている画像データとは、画像処理部４０に入力される画像データ（入力画像）のことであり、例えば、撮像画像データ、又は、記憶媒体２００から読み出された撮像画像データのことである。
【００１９】
電源回路５０は、撮像素子１１の駆動電力を供給する回路である。電源回路５０は、制御部９０から供給される制御信号に基づいて、撮像素子１１に駆動電力の供給を開始する。また、電源回路５０は、制御部９０から供給される制御信号に基づいて、撮像素子１１に駆動電力の供給を停止する。
記憶部６０は、制御部９０の処理に使用する各種情報、撮像素子１１による撮像条件、画像処理条件、等を記憶する。
【００２０】
通信部７０は、カードメモリ等の取り外しが可能な記憶媒体２００と接続され、この記憶媒体２００への画像データの書込み、読み出し、又は消去を行う。
記憶媒体２００は、撮像装置１に対して着脱可能に接続される記憶部であり、例えば、撮像素子１１によって撮像された画像データなどを記憶する。
【００２１】
操作部８０は、例えば、電源スイッチ、シャッターボタン、十字キー、確定ボタン、削除ボタン、及び、その他の操作キーを含み、使用者によって操作されることで、使用者の操作入力を受け付けて、制御部９０に供給する。
【００２２】
バス３００は、撮像素子１１と、バッファメモリ部３０と、画像処理部４０と、記憶部６０と、通信部７０と、操作部８０と、制御部９０とに接続され、各部から出力された画像データや制御信号等を転送する。
【００２３】
制御部９０は、例えば、ＣＰＵ（Central processing unit）などを含み、撮像装置１が備える各構成を制御する。制御部９０は、例えば、操作部８０を介して撮像指示を受け付けた際に、撮像素子１１から得られる画像データを、撮像された撮像画像として、記憶媒体２００に記憶させる。具体的に、制御部９０は、撮像動作の際に、ライブビュー画像を磨りガラス２０に表示させる制御を行うとともに、撮像指示に応じて、撮像素子１１による撮像動作の制御を行う。ここで、撮像指示とは、操作部８０のシャッターボタンのレリーズ操作により、操作部８０が出力する撮像開始を指示する指示のことである。制御部９０は、操作部８０からレリーズ信号として撮像指示を取得する。また、制御部９０は、撮像素子１１によって撮像された撮像画像データ（撮像画像）を取得して、取得した撮像画像データを画像処理部４０によって画像処理させる制御を行う。制御部９０は、画像処理された撮像画像データを記憶媒体２００に記憶させる。
【００２４】
なお、制御部９０は、撮像画像データを取得する際に、撮像指示に応じて撮像素子１１に画像データの出力を開始させ、撮像画像データを撮像素子１１から取得した後に、画像データの出力を停止する制御を行う。
このように、制御部９０は、撮像動作の際に、例えば、可動ミラー１３の挿入、撮像素子１１への電力供給、及び、撮像素子１１の撮像処理などの制御を行う。
また、制御部９０は、電源制御部９１と、ミラー制御部９２とを備えている。
【００２５】
電源制御部９１は、上述した電源回路５０を制御する。電源制御部９１は、例えば、電源回路５０に制御信号を供給し、電源回路５０から撮像素子１１に駆動電力を供給させる。すなわち、電源制御部９１は、撮像素子１１への駆動電力の供給を制御する。例えば、電源制御部９１は、撮像指示に応じて撮像素子１１に駆動電力を供給し、撮像画像を撮像素子から取得した後に、撮像素子１１に駆動電力の供給を停止する制御を行う。
【００２６】
ミラー制御部９２は、撮像動作の際に、可動ミラー１３の挿入を制御する。例えば、ミラー制御部９２は、撮像指示に応じて可動ミラー１３を撮像光学系１０の光路上に挿入させ、撮像画像の撮像が終了した後に、可動ミラー１３を撮像光学系１０の光路外に移動させる。
【００２７】
次に、本実施形態における撮像装置１の動作について説明する。
撮像装置１は、撮像動作の際に、図１（ａ）に示すように、被写体ＯＢから入射された光を撮像光学系１０及び像反転光学系１２を介して磨りガラス２０に結像させて、ライブビュー画像を磨りガラス２０に表示する。すなわち、撮像光学系１０は、被写体ＯＢから入射された光を倒立画像結像面（位置Ｐ１）に結像させるとともに、像反転光学系１２に出射する。像反転光学系１２は、撮像光学系１０によって位置Ｐ１において結像された画像（倒立画像結像面）を反転して、磨りガラス２０の位置Ｐ２（正立画像焦点面）に結像させる。これにより、磨りガラス２０は、ライブビュー画像を透過して表示する。使用者は、磨りガラス２０に表示されたライブビュー画像を観察することにより、被写体ＯＢの構図やピントを確認する。
【００２８】
なお、図１（ａ）に示す状態において、制御部９０は、可動ミラー１３を撮像光学系１０の光路外に退避（移動）させた状態に制御する。すなわち、ミラー制御部９２は、可動ミラー１３を撮像光学系１０の光路外に移動させた状態にする。また、制御部９０は、撮像素子１１に駆動電力の供給を停止するとともに、撮像素子１１からの画像データの出力を停止させた状態に制御する。すなわち、電源制御部９１は、電源回路５０に撮像素子１１の供給を停止させる制御信号を供給する。
【００２９】
次に、操作部８０のシャッターボタンのレリーズ操作により、操作部８０が撮像指示としてレリーズ信号を制御部９０に供給した場合、撮像装置１は、図１（ｂ）に示す状態にして、撮像画像の取得を行う。すなわち、制御部９０のミラー制御部９２は、反射面がＸ方向に対して、例えば、４５度になるように、可動ミラー１３を撮像光学系１０の光路上に挿入させる。撮像光学系１０の光路上に挿入された可動ミラー１３は、撮像光学系１０を介して入射された光を撮像素子１１の方向（光路Ｌ２）に反射して、撮像素子１１の受光面上に結像させる。また、制御部９０は、撮像素子１１に電力を供給させて、撮像動作を開始させる。
【００３０】
撮像装置１は、撮像動作において、撮像素子１１により撮像画像を取得する。撮像装置１は、撮像画像を取得した後、再び図１（ａ）に示す状態に戻す。
【００３１】
次に、撮像動作における制御部９０の制御について、詳細に説明する。
図３は、本実施形態における撮像装置１の動作を示すタイムチャートである。
この図において、縦軸は、上からレリーズ信号、可動ミラーのアクチュエータ（駆動部）、シャッター、撮像素子の電源、画像処理部４０、及び総合消費電力の各状態を示している。また、横軸は、時間を示しており、撮像装置１の撮像画像の取得までのシーケンスを時系列によりステートＳ１〜ステートＳ８により示している。ここで、総合消費電力とは、撮像装置１における全体の消費電力を示している。
【００３２】
図３において、ステートＳ１の状態は、上述した図１（ａ）に示す状態である。すなわち、ステートＳ１において、制御部９０のミラー制御部９２は、可動ミラー１３を撮像光学系１０の光路外に移動させた状態にする。また、制御部９０の電源制御部９１は、撮像素子１１に駆動電力の供給を停止する。これにより、制御部９０は、撮像素子１１からの画像データの出力を停止させた状態に制御する。これにより、総合消費電力は、図３において最も低い電力レベルＩ１の状態となる。
【００３３】
次に、時刻Ｔ１から時刻Ｔ２の間、レリーズ信号が供給される（ステートＳ２）と、制御部９０は、可動ミラー１３を撮像光学系１０の光路上に挿入させるとともに、撮像素子１１を動作させる（ステートＳ３）。例えば、ミラー制御部９２は、レリーズ信号（撮像指示）に応じて、反射面がＸ方向に対して、例えば、４５度になるように可動ミラー１３を回転（正転）させて、可動ミラー１３を撮像光学系１０の光路上に挿入させる。撮像光学系１０の光路上に挿入された可動ミラー１３は、撮像光学系１０を介して入射された光を撮像素子１１の方向（光路Ｌ２）に反射して、撮像素子１１の受光面上に結像させる（図１（ｂ）の状態）。また、電源制御部９１は、レリーズ信号（撮像指示）に応じて、電源回路５０に撮像素子１１の電力供給を開始させる制御信号を供給する。これにより、電源回路５０が撮像素子１１に駆動電力の供給を開始し、撮像素子１１は、画素リセット処理を行う。
【００３４】
ステートＳ３において、総合消費電力は、可動ミラー１３のアクチュエータ（駆動部）と、撮像素子１１とが動作しているために、ステートＳ１及びステートＳ２の状態に比べて上昇し、電力レベルＩ３の状態となる。
【００３５】
次に、時刻Ｔ３において、可動ミラー１３の挿入と、撮像素子１１の画素リセット処理とが完了すると、制御部９０は、シャッターが撮像状態（露光状態）を示す開放状態に制御し、撮像素子１１による露光を開始する（ステートＳ４）。
次に、時刻Ｔ４において、所定の時間、撮像素子１１の露光が完了し、制御部９０は、シャッターを閉じる（ステートＳ５）。
また、ステートＳ４及びステートＳ５において、総合消費電力は、撮像素子１１が動作しているので、電力レベルＩ２の状態となる。
【００３６】
次に、時刻Ｔ５から時刻Ｔ６において、可動ミラー１３を撮像光学系１０の光路外に退避させるとともに、撮像素子１１による撮像画像を取得する（ステートＳ６）。例えば、ミラー制御部９２は、撮像（露光）が終了した後に、反射面がＸ方向になるように可動ミラー１３を回転（反転）させて、可動ミラー１３を撮像光学系１０の光路外に退避させる。
また、制御部９０は、撮像素子１１に画像データの出力を開始させ、撮像画像の取得を開始する。制御部９０は、取得した撮像画像を画像処理部４０にバッファメモリ部３０を介して供給する。画像処理部４０は、取得した撮像画像を例えば、画素欠陥補正などの画像処理を実行して、画像処理した撮像画像をバッファメモリ部３０に記憶させる。制御部９０は、画像処理部４０によって画像処理された撮像画像をバッファメモリ部３０から読み出して、通信部７０を介して、記憶媒体２００に記憶させる。なお、シャッターは、これらの処理が実行されている間に、次回の露光において、所定の露光時間のシャッター開放を行うためのチャージ動作を行う。
また、ステートＳ６において、総合消費電力は、可動ミラー１３のアクチュエータ（駆動部）と、撮像素子１１と、画像処理部４０とが動作しているために、図３において最も消費電力高い電力レベルＩ４の状態となる。
【００３７】
次に、時刻Ｔ６において、可動ミラー１３の退避、及び撮像素子１１からの撮像画像の取得が完了すると、制御部９０は、画像データの出力を停止させるとともに、撮像素子１１に駆動電力の供給を停止させる。すなわち、電源制御部９１は、撮像画像を撮像素子１１から取得した後に、電源回路５０に撮像素子１１の電力供給を停止させる制御信号を供給する。これにより、電源回路５０が撮像素子１１に駆動電力の供給を停止する（ステートＳ７）。なお、本実施形態では、この状態において画像処理部４０は、画像処理を実行している。そのため、ステートＳ７において、総合消費電力は、ステートＳ４とほぼ等しい電力レベル（Ｉ２）となる。
【００３８】
次に、時刻Ｔ７において、画像処理部４０が画像処理を完了すると、撮像装置１は、ステートＳ１と同様の状態（ステートＳ８）に戻る。
【００３９】
以上、説明したように、本実施形態における撮像装置１は、撮像光学系１０、像反転光学系１２、撮像素子１１、可動ミラー１３、及び制御部９０を備えている。撮像光学系１０が、被写体ＯＢから入射された光を結像させ、像反転光学系１２が、撮像光学系１０によって結像された像を反転させた画像を出射する。磨りガラス２０は、透過性を有し、像反転光学系１２によって出射された画像を透過して表示する。また、撮像素子１１は、撮像光学系１０によって結像された像を撮像画像として撮像する。可動ミラー１３は、撮像光学系１０の光路上に挿入可能な偏向部材であって、撮像光学系１０の光路上に挿入された場合に、撮像光学系１０を介して入射された光を撮像素子１１に結像させるように偏向する。そして、制御部９０は、可動ミラー１３の挿入を制御する。
【００４０】
これにより、本実施形態における撮像装置１は、磨りガラス２０に画像を透過して表示するため、従来の撮像装置のような液晶表示パネルなどのディスプレイを用いる場合に比べて、例えば、ライブビュー画像の表示における消費電力を低減することができる。そのため、本実施形態における撮像装置１は、撮像の際の消費電力を低減することができる。すなわち、本実施形態における撮像装置１は、画像取得する前、あるいは間の消費電力を低減することができる。
また、本実施形態における撮像装置１は、撮像の際の消費電力を低減することができるので、バッテリの容量を低減することができる。これにより、本実施形態における撮像装置１は、バッテリの質量を低減することができるので、軽量化を実現することができる。また、本実施形態における撮像装置１は、撮像の際の消費電力を低減することができるので、例えば、長時間使用する場合であっても、大容量のバッテリの装着や複数の予備用バッテリを用意する必要がない。
【００４１】
また、本実施形態では、制御部９０（ミラー制御部９２）は、撮像指示に応じて可動ミラー１３を撮像光学系１０の光路上に挿入させ、撮像画像の撮像が終了した後に、可動ミラー１３を撮像光学系１０の光路外に移動させる。
これにより、本実施形態における撮像装置１は、簡易な構成により、ライブビュー画像を確認した上で、撮像素子１１による撮像を行うことができる。なお、ミラー制御部９２は、撮像素子１１による撮像する際に、可動ミラー１３を４５度回転させることで、撮像光学系１０を介して入射された光を撮像素子１１に結像させる。また、可動ミラー１３は、撮像素子１１より質量が小さい。そのため、本実施形態における撮像装置１は、後述する撮像素子１１を撮像光学系１０の光路上に挿入させる場合に比べて、消費電力を低減できるとともに、レリーズ操作（撮像指示）から撮像画像の取得までの時間を短縮することができる。
【００４２】
また、本実施形態では、制御部９０（電源制御部９１）は、撮像指示に応じて撮像素子１１に電力を供給し、撮像画像を撮像素子１１から取得した後に、電力の供給を停止する制御を行う。
これにより、撮像素子１１から撮像画像を取得する際に、撮像素子１１に電力を供給し、撮像画像を撮像素子１１から取得した後に、電力の供給を停止するので、本実施形態における撮像装置１は、撮像の際における撮像素子１１の消費電力を低減することができる。よって、本実施形態における撮像装置１は、撮像の際の消費電力を低減することができる。
【００４３】
また、撮像素子１１は、撮像画像を取得する期間のみに電力が供給されるので、本実施形態における撮像装置１は、撮像の際における撮像素子１１の発熱を抑えることができる。これにより、本実施形態における撮像装置１は、撮像画像データに重畳される熱雑音によるノイズ（例えば、暗電流によって生じるノイズ）を低減することができる。そのため、本実施形態における撮像装置１は、画像の品質（Ｓ／Ｎ比：Signal-Noise Ratio）を向上させることができる。
【００４４】
また、本実施形態では、制御部９０は、撮像指示に応じて撮像素子１１に画像データの出力を開始し、撮像画像を撮像素子１１から取得した後に、画像データの出力を停止する制御を行う。
これにより、撮像素子１１から画像データの出力を停止することにより、撮像素子１１の消費電力を低減することができるので、本実施形態における撮像装置１は、撮像の際の消費電力を低減することができる。
【００４５】
また、撮像素子１１は、撮像画像を取得する期間のみ、画像データの出力を行うので、本実施形態における撮像装置１は、撮像の際における撮像素子１１の発熱を抑えることができる。これにより、本実施形態における撮像装置１は、撮像画像データに重畳される熱雑音によるノイズ（例えば、暗電流によって生じるノイズ）を低減することができる。そのため、本実施形態における撮像装置１は、画像の品質（Ｓ／Ｎ比）を向上させることができる。
【００４６】
本実施形態では、撮像素子１１は、像反転光学系１２に入射される前に撮像光学系１０によって結像された像を撮像する。すなわち、撮像素子１１は、像反転光学系１２より前に配置される。
これにより、本実施形態における撮像装置１は、撮像素子１１が像反転光学系１２の後ろで結像された画像を撮像する場合に比べて、像反転光学系１２の構成を簡略化することができる。すなわち、本実施形態における撮像装置１は、簡易な構成により、磨りガラス２０にライブビュー画像を表示することができる。よって、本実施形態における撮像装置１は、像反転光学系１２より後のサイズを縮小することができる。
【００４７】
次に、第２の実施形態による撮像装置１ａについて説明する。
［第２の実施形態］
第１の実施形態では、撮像装置１が撮像素子１１を固定して可動ミラー１３を用いて撮像素子１１の受光面に被写体の像を結像する一例を説明したが、第２の実施形態では、撮像装置１ａは、撮像素子１１を移動させて撮像素子１１の受光面に被写体の像を結像する。
【００４８】
図４は、第２の実施形態による撮像装置１ａの構成を示す模式図である。
この図において、図４（ａ）は、撮像装置１ａが撮像前にライブビュー画像（スルー画像）を磨りガラス２０に表示する場合の状態を示している。また、図４（ｂ）は、撮像装置１ａが撮像する場合の状態を示している。
なお、図４において、撮像光学系１０の光路Ｌ１方向をＸ方向とし、Ｘ方向に垂直な紙面上の上方向を＋Ｙ方向として説明する。
この図において、図１と同一の構成については同一の符号を付し、その説明を省略する。
【００４９】
図４において、撮像装置１ａは、撮像光学系１０、撮像素子１１、像反転光学系１２、素子移動部１４、及び磨りガラス２０を備えている。
【００５０】
素子移動部１４（移動部）は、例えば、ステップモータなどのアクチュエータであり、撮像素子１１の一辺（例えば、長辺）の部分に装着されている。素子移動部１４は、例えば、撮像素子１１の長辺を回転軸として、９０度回転できる機構となっており、撮像光学系１０の光路上に撮像素子１１を移動する。例えば、素子移動部１４は、図４（ａ）に示すように、撮像装置１による撮像前、及び撮像後に、撮像素子１１がＸ方向と平行になるように固定する。
また、素子移動部１４は、図４（ｂ）に示すように、撮像装置１ａが撮像する場合に、撮像光学系１０の光路上の倒立画像結像面（位置Ｐ１）に撮像素子１１を移動させる。この場合、素子移動部１４は、撮像素子１１が撮像光学系１０の光路Ｌ３と垂直（Ｙ方向）になるように固定する。ここで、素子移動部１４は、撮像光学系１０によって結像された像を撮像するように、像反転光学系１２に入射される前の位置Ｐ１に撮像素子１１を配置する。
【００５１】
なお、本実施形態における撮像素子１１は、一辺（例えば、長辺）の部分が素子移動部１４に装着されている。撮像素子１１は、図４（ａ）に示すように、ライブビュー画像を表示する場合に、素子移動部１４の動作により撮像光学系１０の光路外に移動されて配置される。
また、撮像素子１１は、図４（ｂ）に示すように、素子移動部１４の動作により撮像光学系１０の光路上の倒立画像結像面（位置Ｐ１）に移動されて、撮像画像を撮像する。すなわち、撮像素子１１は、撮像画像を取得する場合に、素子移動部１４によって、撮像光学系１０を介して入射された光が結像される位置Ｐ１に移動される。ここで、撮像光学系１０を介して入射された光が結像される光路を光路Ｌ３とする。
【００５２】
図５は、本実施形態における素子移動部１４の構成を示す模式図である。
素子移動部１４は、例えば、撮像素子１１の長辺を回転軸として、９０度回転できるように、撮像素子１１に接続されて配置されている。素子移動部１４は、ライブビュー画像を表示する場合に、図５（ａ）に示すように、撮像光学系１０の光路外（光路Ｌ１の外）に撮像素子１１を退避できるように、水平方向（光路Ｌ１と平行）に撮像素子１１を固定する。この固定は、素子移動部１４のディテントトルク（保持トルク）を利用してもよいし、不図示のバネ等の部材を用いて固定できるようにしてもよい。この固定にバネ等の部材を用いた場合に、素子移動部１４は、電力を消費することなく撮像素子１１を保持できる。
【００５３】
また、素子移動部１４は、撮像画像を取得する場合に、図５（ｂ）に示すように、撮像素子１１を９０度回転して、撮像光学系１０の光路上に撮像素子１１を移動する。すなわち、素子移動部１４は、撮像素子１１を垂直方向（光路Ｌ３と垂直なＹ方向）に固定する。
【００５４】
図６は、本実施形態における撮像装置１ａを示すブロック図である。
この図において、撮像装置１ａは、撮像光学系１０、撮像素子１１、像反転光学系１２、素子移動部１４、磨りガラス２０、バッファメモリ部３０、画像処理部４０、電源回路５０、記憶部６０、通信部７０、操作部８０、及び制御部９０ａを備えている。
この図において、図２及び図４と同一の構成については同一の符号を付し、その説明を省略する。
【００５５】
制御部９０ａは、例えば、ＣＰＵなどを含み、撮像装置１ａが備える各構成を制御する。制御部９０ａの基本的な機能は、第１の実施形態における制御部９０と同様であるが、制御部９０ａは、可動ミラー１３の代わりに素子移動部１４の制御を行う点が第１の実施形態における制御部９０と異なる。制御部９０ａは、素子移動部１４に対して、撮像素子１１の移動を制御する。また、制御部９０ａは、電源制御部９１と、移動制御部９３とを備えている。
【００５６】
移動制御部９３は、撮像指示に応じて素子移動部１４に撮像素子１１を撮像光学系１０の光路上に移動させ、撮像画像の撮像が終了した後に、素子移動部１４に撮像素子１１を撮像光学系１０の光路外に移動させる。
【００５７】
次に、本実施形態における撮像装置１ａの動作について説明する。
撮像装置１ａは、撮像動作の際に、図４（ａ）に示すように、被写体ＯＢから入射された光を撮像光学系１０及び像反転光学系１２を介して磨りガラス２０に結像させて、ライブビュー画像を磨りガラス２０に表示する。すなわち、撮像光学系１０は、被写体ＯＢから入射された光を倒立画像結像面（位置Ｐ１）に結像させるとともに、像反転光学系１２に出射する。像反転光学系１２は、撮像光学系１０によって位置Ｐ１において結像された画像（倒立画像結像面）を反転して、磨りガラス２０の位置Ｐ２（正立画像焦点面）に結像させる。これにより、磨りガラス２０は、ライブビュー画像を透過して表示する。使用者は、磨りガラス２０に表示されたライブビュー画像を観察することにより、被写体ＯＢの構図やピントを確認する。
【００５８】
なお、図４（ａ）に示す状態において、制御部９０ａは、撮像素子１１を撮像光学系１０の光路外に退避（移動）させた状態に制御する。すなわち、移動制御部９３は、素子移動部１４に対して、撮像素子１１を撮像光学系１０の光路外に移動させた状態に制御する。また、制御部９０ａは、撮像素子１１に駆動電力の供給を停止するとともに、撮像素子１１からの画像データの出力を停止させた状態に制御する。すなわち、電源制御部９１は、電源回路５０に撮像素子１１の供給を停止させる制御信号を供給する。
【００５９】
次に、操作部８０のシャッターボタンのレリーズ操作により、操作部８０が撮像指示としてレリーズ信号を制御部９０ａに供給した場合、撮像装置１ａは、図４（ｂ）に示す状態にして、撮像画像の取得を行う。すなわち、制御部９０ａの移動制御部９３は、素子移動部１４に対して、撮像素子１１を、例えば、９０度回転させて、撮像素子１１を撮像光学系１０の光路上に移動させる。ここで、移動制御部９３は、撮像素子１１を光路上の倒立画像結像面（位置Ｐ１）に移動させる。撮像光学系１０の撮像光学系１０の光路上に移動された撮像素子１１は、撮像光学系１０を介して入射された光がその受光面上に結像される。また、制御部９０ａは、撮像素子１１に電力を供給させて、撮像動作を開始させる。
撮像装置１ａは、撮像動作において、撮像素子１１により撮像画像を取得する。撮像装置１ａは、撮像画像を取得した後、再び図４（ａ）に示す状態に戻す。
【００６０】
なお、本実施形態における制御部９０ａの撮像動作における制御は、アクチュエータの動作が可動ミラー１３の回転から素子移動部１４による回転に代わった点を除いて、図３に示す第１の実施形態の動作と同様であるので、ここでは説明を省略する。
【００６１】
以上、説明したように、本実施形態における撮像装置１ａは、撮像光学系１０、像反転光学系１２、撮像素子１１、素子移動部１４、及び制御部９０ａを備えている。撮像光学系１０が、被写体ＯＢから入射された光を結像させ、像反転光学系１２が、撮像光学系１０によって結像された像を反転させた画像を出射する。磨りガラス２０は、透過性を有し、像反転光学系１２によって出射された画像を透過して表示する。また、撮像素子１１は、撮像光学系１０によって結像された像を撮像画像として撮像する。素子移動部１４は、撮像光学系１０の光路上に撮像素子１１を移動する。そして、制御部９０ａは、素子移動部１４に対して、撮像素子１１の移動を制御する。
【００６２】
これにより、本実施形態における撮像装置１ａは、磨りガラス２０に画像を透過して表示するため、従来の撮像装置のような液晶表示パネルなどのディスプレイを用いる場合に比べて、例えば、ライブビュー画像の表示における消費電力を低減することができる。そのため、本実施形態における撮像装置１ａは、第１の実施形態と同様に、撮像の際の消費電力を低減することができる。すなわち、本実施形態における撮像装置１ａは、画像取得する前、あるいは間の消費電力を低減することができる。
また、本実施形態における撮像装置１ａは、撮像の際の消費電力を低減することができるので、バッテリの容量を低減することができる。これにより、本実施形態における撮像装置１ａは、バッテリの質量を低減することができるので、軽量化を実現することができる。また、本実施形態における撮像装置１ａは、撮像の際の消費電力を低減することができるので、例えば、長時間使用する場合であっても、大容量のバッテリの装着や複数の予備用バッテリを用意する必要がない。
【００６３】
また、本実施形態では、制御部９０ａ（移動制御部９３）は、撮像指示に応じて素子移動部１４に撮像素子１１を撮像光学系１０の光路上に移動させ、撮像画像の撮像が終了した後に、素子移動部１４に撮像素子１１を撮像光学系１０の光路外に移動させる。
これにより、本実施形態における撮像装置１ａは、簡易な構成により、ライブビュー画像を確認した上で、撮像素子１１による撮像を行うことができる。なお、素子移動部１４が撮像素子１１を移動させるので、本実施形態における撮像装置１ａは、ミラー、ペンタプリズム等の部材を削減することができる。このように、ライブビュー画像を表示する構成を簡略化することができるので本実施形態における撮像装置１ａは、消費電力を低減できるとともに、軽量化を実現することができる。
【００６４】
また、その他の撮像における制御は、第１の実施形態の撮像装置１と同様であので、本実施形態における撮像装置１ａは、第１の実施形態の撮像装置１と同様の効果を奏する。
【００６５】
次に、第３の実施形態による撮像装置１ｂについて説明する。
［第３の実施形態］
第１の実施形態では、撮像装置１が撮像素子１１を固定して可動ミラー１３を用いて撮像素子１１の受光面に被写体の像を結像する一例を説明したが、第３の実施形態では、撮像装置１ｂは、可動ミラー１３の代わりハーフミラー１５を用いて、撮像素子１１の受光面に被写体の像を結像する。
【００６６】
図７は、第３の実施形態による撮像装置１ｂの構成を示す模式図である。
図７において、撮像装置１ｂは、撮像光学系１０、撮像素子１１、像反転光学系１２、ハーフミラー１５、及び磨りガラス２０を備えている。
この図において、図１と同一の構成については同一の符号を付し、その説明を省略する。
なお、図７において、撮像光学系１０の光路Ｌ１方向をＸ方向とし、Ｘ方向に垂直な紙面上の上方向を＋Ｙ方向として説明する。
【００６７】
ハーフミラー１５（偏向部材）は、入射された光の一部を反射し、入射された光の一部を透過するミラーであり、撮像光学系１０の光路Ｌ１に対して４５度の角度で配置されている。すなわち、ハーフミラー１５は、撮像光学系１０の光路上（光路Ｌ１上）に挿入されている偏向部材であって、撮像光学系１０を介して入射された光を撮像素子１１に結像するように反射（偏向）するとともに、撮像光学系１０を介して入射された光を、像反転光学系１２を介して磨りガラス２０に出射する。ハーフミラー１５は、撮像光学系１０を介して入射された光の一部を撮像素子１１の方向（光路Ｌ２）に反射して、撮像素子１１の受光面上に結像させる。また、ハーフミラー１５は、撮像光学系１０を介して入射された光の一部を透過させて、像反転光学系１２を経由して磨りガラス２０に出射する。
【００６８】
図８は、本実施形態における撮像装置１ｂを示すブロック図である。
この図において、撮像装置１ｂは、撮像光学系１０、撮像素子１１、像反転光学系１２、ハーフミラー１５、磨りガラス２０、バッファメモリ部３０、画像処理部４０、電源回路５０、記憶部６０、通信部７０、操作部８０、及び制御部９０ｂを備えている。
この図において、図２及び図７と同一の構成については同一の符号を付し、その説明を省略する。
【００６９】
制御部９０ｂは、例えば、ＣＰＵなどを含み、撮像装置１ｂが備える各構成を制御する。制御部９０ｂの基本的な機能は、第１の実施形態における制御部９０と同様であるが、制御部９０ｂは、可動ミラー１３の制御を必要といないが第１の実施形態における制御部９０と異なる。制御部９０ｂは、電源制御部９１を備えている。
【００７０】
次に、本実施形態における撮像装置１ｂの動作について説明する。
撮像装置１ｂは、撮像動作の際に、図７に示すように、被写体ＯＢから入射された光を撮像光学系１０、ハーフミラー１５、及び像反転光学系１２を介して磨りガラス２０に結像させて、ライブビュー画像を磨りガラス２０に表示する。すなわち、撮像光学系１０は、被写体ＯＢから入射された光を、ハーフミラー１５を介して像反転光学系１２に出射する。像反転光学系１２は、撮像光学系１０によって位置Ｐ１において結像された画像（倒立画像結像面）を反転して、磨りガラス２０の位置Ｐ２（正立画像焦点面）に結像させる。これにより、磨りガラス２０は、ライブビュー画像を透過して表示する。使用者は、磨りガラス２０に表示されたライブビュー画像を観察することにより、被写体ＯＢの構図やピントを確認する。
【００７１】
また、ハーフミラー１５は、撮像光学系１０を介して被写体ＯＢから入射された光の一部を撮像素子１１の受光面上に結像させるように反射する。
なお、撮像画像を取得する前に、制御部９０ｂは、撮像素子１１に駆動電力の供給を停止するとともに、撮像素子１１からの画像データの出力を停止させた状態に制御する。すなわち、電源制御部９１は、電源回路５０に撮像素子１１の供給を停止させる制御信号を供給する。
【００７２】
次に、操作部８０のシャッターボタンのレリーズ操作により、操作部８０が撮像指示としてレリーズ信号を制御部９０ｂに供給した場合、撮像装置１ａは、撮像動作を開始する。制御部９０ｂは、撮像素子１１に駆動電力の供給を開始するとともに、撮像素子１１からの画像データの出力を行う状態に制御する。すなわち、制御部９０ｂの電源制御部９１は、レリーズ信号（撮像指示）に応じて、電源回路５０に撮像素子１１の電力供給を開始させる制御信号を供給する。
撮像装置１は、撮像動作において、撮像素子１１により撮像画像を取得する。制御部９０ｂは、撮像画像を撮像素子１１から取得した後に、撮像素子１１に駆動電力の供給を停止するとともに、撮像素子１１からの画像データの出力を停止した状態に制御する。すなわち、電源制御部９１は、撮像画像を取得した後、電源回路５０に撮像素子１１の電力供給を停止させる制御信号を供給する。
なお、本実施形態における制御部９０ｂの撮像動作における制御は、アクチュエータの動作の必要がない点を除いて、図３に示す第１の実施形態の動作と同様であるので、ここでは説明を省略する。
【００７３】
以上、説明したように、本実施形態における撮像装置１ｂは、撮像光学系１０、像反転光学系１２、撮像素子１１、及びハーフミラー１５を備えている。撮像光学系１０が、被写体ＯＢから入射された光を結像させ、像反転光学系１２が、撮像光学系１０によって結像された像を反転させた画像を出射する。磨りガラス２０は、透過性を有し、像反転光学系１２によって出射された画像を透過して表示する。また、撮像素子１１は、撮像光学系１０によって結像された像を撮像画像として撮像する。ハーフミラー１５は、撮像光学系１０の光路上（光路Ｌ１上）に挿入されている偏向部材であって、撮像光学系１０を介して入射された光を撮像素子１１に結像するように反射（偏向）するとともに、撮像光学系１０を介して入射された光を、像反転光学系１２を介して磨りガラス２０に出射する。
【００７４】
これにより、本実施形態における撮像装置１ｂは、磨りガラス２０に画像を透過して表示するため、従来の撮像装置のような液晶表示パネルなどのディスプレイを用いる場合に比べて、例えば、ライブビュー画像の表示における消費電力を低減することができる。そのため、本実施形態における撮像装置１ｂは、第１の実施形態と同様に、撮像の際の消費電力を低減することができる。すなわち、本実施形態における撮像装置１ｂは、画像取得する前、あるいは間の消費電力を低減することができる。
また、本実施形態における撮像装置１ｂは、撮像の際の消費電力を低減することができるので、バッテリの容量を低減することができる。これにより、本実施形態における撮像装置１ｂは、バッテリの質量を低減することができるので、軽量化を実現することができる。また、本実施形態における撮像装置１ｂは、撮像の際の消費電力を低減することができるので、例えば、長時間使用する場合であっても、大容量のバッテリの装着や複数の予備用バッテリを用意する必要がない。
さらに、本実施形態における撮像装置１ｂは、ライブビュー画像を磨りガラス２０に表示するのと同時に、撮像光学系１０を介して入射された光を撮像素子１１に結像する。そのため、本実施形態における撮像装置１ｂは、ライブビュー画像を確認しながら撮像画像を取得することができる。また、これにより、本実施形態における撮像装置１ｂは、レリーズ操作（撮像指示）から撮像画像の取得までの時間を短縮することができる。
【００７５】
また、本実施形態における撮像装置１ｂは、撮像指示に応じて撮像素子１１に電力を供給し、撮像画像を撮像素子１１から取得した後に、電力の供給を停止する制御を行う制御部９０ｂ（電源制御部９１）を備えている。
これにより、撮像素子１１から撮像画像を取得する際に、撮像素子１１に電力を供給し、撮像画像を撮像素子１１から取得した後に、電力の供給を停止するので、本実施形態における撮像装置１ｂは、撮像の際における撮像素子１１の消費電力を低減することができる。よって、本実施形態における撮像装置１は、撮像の際の消費電力を低減することができる。
【００７６】
また、撮像素子１１は、撮像画像を取得する期間のみに電力が供給されるので、本実施形態における撮像装置１ｂは、撮像の際における撮像素子１１の発熱を抑えることができる。これにより、本実施形態における撮像装置１ｂは、撮像画像データに重畳される熱雑音によるノイズ（例えば、暗電流によって生じるノイズ）を低減することができる。そのため、本実施形態における撮像装置１ｂは、画像の品質（Ｓ／Ｎ比）を向上させることができる。
【００７７】
また、本実施形態における撮像装置１ｂは、撮像指示に応じて撮像素子１１に画像データの出力を開始し、撮像画像を撮像素子１１から取得した後に、画像データの出力を停止する制御を行う制御部９０ｂを備えている。
これにより、撮像素子１１から画像データの出力を停止することにより、撮像素子１１の消費電力を低減することができるので、本実施形態における撮像装置１ｂは、撮像の際の消費電力を低減することができる。
【００７８】
また、撮像素子１１は、撮像画像を取得する期間のみ、画像データの出力を行うので、本実施形態における撮像装置１ｂは、撮像の際における撮像素子１１の発熱を抑えることができる。これにより、本実施形態における撮像装置１ｂは、撮像画像データに重畳される熱雑音によるノイズ（例えば、暗電流によって生じるノイズ）を低減することができる。そのため、本実施形態における撮像装置１ｂは、画像の品質（Ｓ／Ｎ比）を向上させることができる。
【００７９】
なお、本発明は、上記の各実施形態に限定されるものではなく、本発明の趣旨を逸脱しない範囲で変更可能である。
例えば、上記の各実施形態において、撮像素子１１の消費電力を低減する状態として、駆動電力を供給しない状態を用いる形態を説明したが、撮像素子１１のパワーダウンモードなどの低消費電力モードを用いる形態でもよい。この場合、制御部９０（９０ａ，９０ｂ）は、パワーダウンモードなどの低消費電力モードを用いて、画像データの出力を停止する制御を行う形態でもよい。
【００８０】
また、上記の各実施形態において、表示部材として磨りガラス２０を用いる形態を説明したが、撮像装置１（１ａ，１ｂ）は、例えば、半透明のプラスチックなどの他の部材を用いる形態でもよい。
【００８１】
また、上記の各実施形態において、像反転光学系１２は、レンズを用いる形態を説明したが、これに限定されるものではない。例えば、像反転光学系１２は、例えば、ミラーやプリズムなどにより構成される形態でもよいし、レンズとミラー又はプリズムなどとを組み合わせた形態でもよい。また、像反転光学系１２は、単に像を反転して磨りガラス２０に結像させるのではなく、像を拡大又は縮小するとともに反転して、磨りガラス２０に結像させる形態でもよい。
【００８２】
また、上記の各実施形態において、磨りガラス２０の他に表示部を備えない形態を説明したが、撮像装置１（１ａ，１ｂ）は、例えば、撮像画像を撮像後に表示する液晶などの表示部や、撮像装置１（１ａ，１ｂ）の設定などを確認する表示部を備える形態でもよい。
【００８３】
また、上記の各実施形態において、像反転光学系１２より前において、撮像素子１１に結像させて撮像画像を取得する形態を説明したが、像反転光学系１２より後において、撮像素子１１に結像させる形態でもよい。
【００８４】
また、上記の第１の実施形態において、撮像装置１は、偏向部材として、可動ミラー１３を用いる形態を説明したが、可動ミラー１３の代わりに、例えば、プリズムなどの他の光学部材を用いてもよい。撮像装置１は、偏向部材として、例えば、ＡＯＭ（Acousto-Optic Modulator）などの回折現象を利用するものを用いてもよい。
【００８５】
また、上記の第２の実施形態において、素子移動部１４の回転により撮像素子１１を撮像光学系１０の光路に移動する形態を説明したが、撮像装置１ａは、直線的な移動により、撮像素子１１を撮像光学系１０の光路に移動する形態でもよい。
【００８６】
なお、上記の各実施形態における制御部９０（９０ａ，９０ｂ）が備える各部は、専用のハードウェアにより実現されるものであってもよく、また、制御部９０（９０ａ，９０ｂ）が備える各部はメモリおよびＣＰＵ（中央演算装置）により構成され、制御部９０（９０ａ，９０ｂ）が備える各部の機能を実現するためのプログラムをメモリにロードして実行することによりその機能を実現させるものであってもよい。
【００８７】
また、上述の撮像装置１（１ａ，１ｂ）は内部に、コンピュータシステムを有している。そして、上述した撮像の処理過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。
【符号の説明】
【００８８】
１，１ａ，１ｂ…撮像装置、１０…撮像光学系、１１…撮像素子、１２…像反転光学系、１３…可動ミラー、１４…素子移動部、１５…ハーフミラー、２０…磨りガラス、９０，９０ａ，９０ｂ…制御部
【図１】
2013161032.tif 000003
【図２】
2013161032.tif 000004
【図３】
2013161032.tif 000005
【図４】
2013161032.tif 000006
【図５】
2013161032.tif 000007
【図６】
2013161032.tif 000008
【図７】
2013161032.tif 000009
【図８】
2013161032.tif 000010